(57)【要約】【課題】柱省略建物ユニットの柱省略コーナー部の梁・梁接合部が簡易な構造となり、低コストで実施できる柱省略仕口構造を提供する。【解決手段】柱省略建物ユニット１ａ，１ｂ，１ｃ，１ｄの柱省略コーナー部Ｓの上下の梁・梁接合部を形成する柱省略仕口構造であって、断面略Ｌ字形の中央アングル部２１と、延設プレート部２２，２２とから成り、全体で断面略Ｗ字形である上側の接合部材２Ａにより、延設プレート部２２，２２で、天井梁１１Ａ，１１Ｂの側面のウェブがそれぞれ接合されているとともに、断面略Ｌ字形の中央アングル部２１と、延設プレート部２２，２２とから成り、全体で断面略Ｗ字形である下側の接合部材２Ｂにより、延設プレート部２２，２２で、床梁１２Ａ，１２Ｂの側面のウェブがそれぞれ接合されており、上下の接合部材２Ａ，２Ｂの中央アングル部２１，２１の内角側に、仮柱３の上端部及び下端部の外側面が仮接合される構成とされている。【選択図】図２
2011052436.tif 000002
【特許請求の範囲】
【請求項１】
柱と梁を箱形に組んだ建物ユニットの少なくとも１本の柱を省略した柱省略建物ユニットの柱省略コーナー部の梁・梁接合部を形成する柱省略仕口構造であって、
断面略Ｌ字形の中央アングル部と、該中央アングル部の端部から外角側へ略直角に延設された延設プレート部とから成り、全体で断面略Ｗ字形である接合部材により、前記延設プレート部で、前記梁の端部の側面がそれぞれ接合されているとともに、前記中央アングル部の内角側に、仮柱の端部の外側面が仮接合されることを特徴とする柱省略仕口構造。
【請求項２】
前記接合部材の前記中央アングル部には、前記仮柱を締結部材で仮接合するための締結孔が設けられていることを特徴とする請求項１に記載の柱省略仕口構造。
【請求項３】
前記接合部材の前記中央アングル部には、その内角側に突出した支持プレートが設けられていることを特徴とする請求項１又は２に記載の柱省略仕口構造。
【請求項４】
請求項１乃至３のいずれか１項に記載の柱省略仕口構造を備えていることを特徴とする柱省略建物ユニット。
【請求項５】
請求項４に記載の柱省略建物ユニットが、それぞれの前記柱省略コーナー部を向かい合うようにして、離し置きされ、複数個配置されていることを特徴とするユニット建物。
【請求項６】
前記柱省略建物ユニットの前記柱省略コーナー部間又は前記柱省略コーナー部近傍間を架け渡す補強部材が設けられていることを特徴とする請求項５に記載のユニット建物。
【請求項７】
前記補強部材として、対向する前記柱省略建物ユニット同士の前記柱省略コーナー部間における前記梁の上面間を架け渡す水平部分と前記梁の外側面間を架け渡す垂下部分とから成るスプライスプレートが設けられていることを特徴とする請求項６に記載のユニット建物。
【請求項８】
前記補強部材として、対向する前記柱省略建物ユニット同士の前記柱省略コーナー部間における前記梁の外側面間を架け渡すとともに、前記スプライスプレートを前記梁とで挟持する補強梁が設けられていることを特徴とする請求項７に記載のユニット建物。
【請求項９】
請求項４に記載の柱省略建物ユニットが、それぞれの前記柱省略コーナー部を向かい合うようにして、施工誤差を吸収する程度の若干の隙間が設けられ、複数個配置されていることを特徴とするユニット建物。
【請求項１０】
補強部材として、対向する前記柱省略建物ユニット同士の前記柱省略コーナー部間における前記梁の上面間を架け渡す水平部分と前記梁の外側面間を架け渡す垂下部分とから成るスプライスプレートが設けられていることを特徴とする請求項９に記載のユニット建物。
【請求項１１】
補強部材として、対向する前記柱省略建物ユニット同士の前記柱省略コーナー部の前記梁の外側面間を架け渡す略平板状の鉛直補強プレートが前記若干の隙間に挟持されて設けられていることを特徴とする請求項９に記載のユニット建物。
【発明の詳細な説明】
【技術分野】
【０００１】
本発明は、柱省略建物ユニットの柱省略コーナー部を形成する柱省略仕口構造、この柱省略仕口構造を備えた柱省略建物ユニット、及びこの柱省略建物ユニットを備えたユニット建物に関するものである。
【背景技術】
【０００２】
近年、ユニット建物は、工期が短く、耐久性にも優れるなどの利点から、多く実施されている。
【０００３】
また、ユニット建物において、その内部に大空間を形成するなどのために、このユニット建物を構成する建物ユニット同士の突き合わせコーナー部の柱を省略することもなされていた。
【０００４】
さらに、この柱省略建物ユニットの柱省略コーナー部においては、例えば、特許文献１に開示された従来技術などでは、梁・梁接合部に、短柱を設けたジョイントピースが用いられて、柱省略仕口構造が構成されていた。
【先行技術文献】
【特許文献】
【０００５】
【特許文献１】特開平０９−１６５８２４号公報
【発明の概要】
【発明が解決しようとする課題】
【０００６】
しかしながら、こうした特許文献１のような従来の柱省略仕口構造では、上記した短柱を設けたジョイントピースが、仮柱を取り付けるために、複雑な構造となり、コスト高となっていた。
【０００７】
そこで、本発明は、柱省略建物ユニットの柱省略コーナー部の梁・梁接合部が簡易な構造となり、低コストで実施できる柱省略仕口構造、この柱省略仕口構造を備えた柱省略建物ユニット、及びこの柱省略建物ユニットを備えたユニット建物を提供することを目的としている。
【課題を解決するための手段】
【０００８】
前記目的を達成するために、本発明の柱省略仕口構造は、柱と梁を箱形に組んだ建物ユニットの少なくとも１本の柱を省略した柱省略建物ユニットの柱省略コーナー部の梁・梁接合部を形成する柱省略仕口構造であって、断面略Ｌ字形の中央アングル部と、該中央アングル部の端部から外角側へ略直角に延設された延設プレート部とから成り、全体で断面略Ｗ字形である接合部材により、前記延設プレート部で、前記梁の端部の側面がそれぞれ接合されているとともに、前記中央アングル部の内角側に、仮柱の端部の外側面が仮接合されることを特徴とする。
【０００９】
ここで、前記接合部材の前記中央アングル部には、前記仮柱を締結部材で仮接合するための締結孔が設けられているとよい。
【００１０】
また、前記接合部材の前記中央アングル部には、その内角側に突出した支持プレートが設けられていてもよい。
【００１１】
本発明の柱省略建物ユニットは、上記した柱省略仕口構造を備えていることを特徴とする。
【００１２】
本発明の第１のユニット建物は、上記した柱省略建物ユニットが、それぞれの前記柱省略コーナー部を向かい合うようにして、離し置きされ、複数個配置されていることを特徴とする。
【００１３】
ここで、前記柱省略建物ユニットの前記柱省略コーナー部間又は前記柱省略コーナー部近傍間を架け渡す補強部材が設けられているとよい。
【００１４】
また、前記補強部材として、対向する前記柱省略建物ユニット同士の前記柱省略コーナー部間における前記梁の上面間を架け渡す水平部分と前記梁の外側面間を架け渡す垂下部分とから成るスプライスプレートが設けられていてもよい。
【００１５】
さらに、前記補強部材として、対向する前記柱省略建物ユニット同士の前記柱省略コーナー部間における前記梁の外側面間を架け渡すとともに、前記スプライスプレートを前記梁とで挟持する補強梁が設けられていてもよい。
【００１６】
本発明の第２のユニット建物は、上記した柱省略建物ユニットが、それぞれの前記柱省略コーナー部を向かい合うようにして、施工誤差を吸収する程度の若干の隙間が設けられ、複数個配置されていることを特徴とする。
【００１７】
ここで、補強部材として、対向する前記柱省略建物ユニット同士の前記柱省略コーナー部間における前記梁の上面間を架け渡す水平部分と前記梁の外側面間を架け渡す垂下部分とから成るスプライスプレートが設けられているとよい。
【００１８】
また、補強部材として、対向する前記柱省略建物ユニット同士の前記柱省略コーナー部の前記梁の外側面間を架け渡す略平板状の鉛直補強プレートが前記若干の隙間に挟持されて設けられているとよい。
【発明の効果】
【００１９】
このような本発明の柱省略仕口構造は、柱と梁を箱形に組んだ建物ユニットの少なくとも１本の柱を省略した柱省略建物ユニットの柱省略コーナー部の梁・梁接合部を形成する柱省略仕口構造である。
【００２０】
そして、断面略Ｌ字形の中央アングル部と、中央アングル部の端部から外角側へ略直角に延設された延設プレート部とから成り、全体で断面略Ｗ字形である接合部材により、延設プレート部で、梁の端部の側面がそれぞれ接合されているとともに、中央アングル部の内角側に、仮柱の端部の外側面が仮接合される構成とされている。
【００２１】
こうした構成なので、柱省略建物ユニットの柱省略コーナー部の梁・梁接合部が簡易な構造となり、低コストで実施することができる。
【００２２】
ここで、接合部材の中央アングル部には、仮柱を締結部材で仮接合するための締結孔が設けられている場合は、ボルトなどの締結部材を取り付けたり、取り外したりするだけで、仮柱の仮接合と取り外しを容易に行うことができる。
【００２３】
また、接合部材の中央アングル部には、その内角側に突出した支持プレートが設けられている場合は、特に、１階部分に柱省略建物ユニットを配置する際に、この支持プレートにより、柱省略建物ユニットを基礎にしっかりと据え付け固定することができる。
【００２４】
本発明の柱省略建物ユニットは、上記した柱省略仕口構造を備えた構成とされているので、上記した柱省略仕口構造の効果を享受した柱省略建物ユニットを製造することができる。
【００２５】
本発明の第１のユニット建物は、上記した柱省略建物ユニットが、それぞれの柱省略コーナー部を向かい合うようにして、離し置きされ、複数個配置された構成とされているので、柱省略建物ユニットの内部に、これらの床面積を合わせたよりも大きな大空間を形成することができるのは勿論、柱省略コーナー部の接合部材により形成された空間を、配線や配管などのスペースに利用することができる。
【００２６】
ここで、柱省略建物ユニットの柱省略コーナー部間又は柱省略コーナー部近傍間を架け渡す補強部材が設けられている場合は、この補強部材により、柱省略建物ユニット間の応力が伝達されるため、ユニット建物の必要な強度を確保することができる。
【００２７】
また、補強部材として、対向する前記柱省略建物ユニット同士の前記柱省略コーナー部間における梁の上面間を架け渡す水平部分と梁の外側面間を架け渡す垂下部分とから成るスプライスプレートが設けられている場合は、補強部材としてのこのスプライスプレートは、柱省略建物ユニット間での収まりがよいうえに、その大きな断面二次モーメントにより、柱省略建物ユニット間の応力が十分に伝達されるため、ユニット建物の必要な強度を確保することに貢献する。
【００２８】
さらに、補強部材として、対向する柱省略建物ユニット同士の柱省略コーナー部間における梁の外側面間を架け渡すとともに、スプライスプレートを梁とで挟持する補強梁が設けられている場合は、この補強梁とスプライスプレートとによるより大きな断面二次モーメントにより、柱省略建物ユニット間の応力がより十分に伝達されるため、ユニット建物の必要な強度を確保することにより貢献する。
【００２９】
本発明の第２のユニット建物は、上記した柱省略建物ユニットが、それぞれの前記柱省略コーナー部を向かい合うようにして、施工誤差を吸収する程度の若干の隙間が設けられ、複数個配置された構成とされているので、柱省略建物ユニットの内部に大空間を形成することができるのは勿論、柱省略コーナー部の接合部材により形成された空間を、配線や配管などのスペースに利用することができる。
【００３０】
ここで、補強部材として、対向する前記柱省略建物ユニット同士の前記柱省略コーナー部間における梁の上面間を架け渡す水平部分と梁の外側面間を架け渡す垂下部分とから成るスプライスプレートが設けられている場合は、補強部材としてのこのスプライスプレートは、柱省略建物ユニット間での収まりがよいうえに、その大きな断面二次モーメントにより、柱省略建物ユニット間の応力が十分に伝達されるため、ユニット建物の必要な強度を確保することに貢献する。
【００３１】
また、補強部材として、対向する柱省略建物ユニット同士の柱省略コーナー部の梁の外側面間を架け渡す略平板状の鉛直補強プレートが若干の隙間に挟持されて設けられている場合は、簡易且つ安価に、ユニット建物の必要な強度を確保することができる。
【図面の簡単な説明】
【００３２】
【図１】実施例１のユニット建物の１階部分の概略構成を示す平面図である。
【図２】実施例１の柱省略建物ユニットの概略構成を示す斜視図である。
【図３】実施例１の上側の接合部材の概略構成を示す斜視図である。
【図４】（ａ）は、柱省略建物ユニットにおける柱省略コーナー部の上側の梁・梁接合部を示す正面図であり、（ｂ）は、（ａ）の平面図である。
【図５】実施例１の下側の接合部材の概略構成を示す斜視図である。
【図６】（ａ）は、柱省略建物ユニットにおける柱省略コーナー部の下側の梁・梁接合部を示す正面図であり、（ｂ）は、（ａ）の平面図である。
【図７】図２の柱省略建物ユニットにおいて、仮柱を仮接合した状態を示す斜視図である。
【図８】実施例１の仮柱の概略構成を示す斜視図である。
【図９】図７における仮柱の接合状態を平面視で示す部分拡大図である。
【図１０】図７における仮柱の接合状態を正面視で示す部分拡大図である。
【図１１】図１のユニット建物における柱省略コーナー部を向い合うようにした部分を示す部分拡大図である。
【図１２】図１１におけるＡ−Ａ線矢視断面図である。
【図１３】実施例２のユニット建物の１階部分の概略構成を示す平面図である。
【図１４】図１３のユニット建物における柱省略コーナー部を向い合うようにした部分を示す部分拡大図である。
【図１５】図１４におけるＢ−Ｂ線矢視断面図である。
【発明を実施するための形態】
【００３３】
以下、本発明を実施するための形態を、図面に示す実施例１，２に基づいて説明する。
【実施例１】
【００３４】
先ず、実施例１について説明する。
【００３５】
図１は、実施例１の柱省略建物ユニット１ａ，１ｂ，１ｃ，１ｄを備えたユニット建物Ｕ１の１階部分の概略構成を平面視で示している。
【００３６】
まず、このユニット建物Ｕ１の一階部分は、図示省略の基礎上に、４個の柱省略建物ユニット１ａ，１ｂ，１ｃ，１ｄが、それぞれの柱省略コーナー部Ｓを向かい合うようにして、離し置きして配置されている。
【００３７】
ここで、柱省略建物ユニット１ａは、図２に示したように、３本の角形鋼管から成る柱１０，１０，１０の上端部と、４本の梁としての溝形鋼から成る天井梁１１Ａ，１１Ａ，１１Ｂ，１１Ｂの端部とが、それぞれ剛接合されている。
【００３８】
また、３本の角形鋼管から成る柱１０，１０，１０の下端部と、４本の梁としての溝形鋼から成る床梁１２Ａ，１２Ａ，１２Ｂ，１２Ｂの端部とが、それぞれ剛接合されている。
【００３９】
さらに、柱１０を省略した側の天井梁１１Ａの端部と天井梁１１Ｂの端部とは、全体で断面略Ｗ字形の接合部材２Ａにより接合されている。
【００４０】
具体的には、この接合部材２Ａは、図３に示したように、後述する仮柱３の上端部の外側面が仮接合される断面略Ｌ字形の中央アングル部２１と、柱１０を省略した側の天井梁１１Ａ，１１Ｂの端部のウェブの外側面がそれぞれ接合される中央アングル部２１の左右の端部から外角側へ略直角に延設された延設プレート部２２，２２とから成る。
【００４１】
ここで、中央アングル部２１には、後述する仮柱３の上端部の外側面に、締結部材としてのボルト４，・・・で仮接合するための４つの締結孔としてのボルト孔２１ａ，・・・が設けられている（図９及び図１０も参照）。
【００４２】
そして、この接合部材２Ａは、延設プレート部２２，２２が、図４に示したように、柱１０を省略した側の天井梁１１Ａ，１１Ｂの端部のウェブの外側面に、溶接箇所Ｗ，・・・で、焼抜き栓溶接により、それぞれ接合されている。
【００４３】
また、柱１０を省略した側の床梁１２Ａの端部と床梁１２Ｂの端部とは、全体で断面略Ｗ字形の接合部材２Ｂにより接合されている。
【００４４】
具体的には、この接合部材２Ｂは、図５に示したように、後述する仮柱３の下端部の外側面が仮接合される断面略Ｌ字形の中央アングル部２１と、柱１０を省略した側の床梁１２Ａ，１２Ｂの端部のウェブの外側面がそれぞれ接合される中央アングル部２１の左右の端部から外角側へ略直角に延設された延設プレート部２２，２２と、中央アングル部２１の下端縁から内角側へ突出され、基礎に立設したアンカー棒を挿入するための挿入孔２３ａを有する支持プレート２３とから成る。
【００４５】
ここで、中央アングル部２１には、後述する仮柱３の下端部の外側面に、締結部材としてのボルト４，・・・で仮接合するための４つの締結孔としてのボルト孔２１ａ，・・・が設けられている（図９及び図１０も参照）。
【００４６】
そして、この接合部材２Ｂは、延設プレート部２２，２２が、図６に示したように、柱１０を省略した側の床梁１２Ａ，１２Ｂの端部のウェブの外側面に、溶接箇所Ｗ，・・・で、焼抜き栓溶接により、それぞれ接合されている。
【００４７】
こうして、柱省略コーナー部Ｓの上下の梁・梁接合部が形成されて、実施例１の柱省略仕口構造が構成されており、柱省略建物ユニット１ａ，１ｂ，１ｃ，１ｄは、全体で箱形の建物ユニットの１本の柱を省略したものとされている。
【００４８】
なお、柱省略建物ユニット１ｄは、上記した柱省略建物ユニット１ａと同一の構成であり、柱省略建物ユニット１ｂ，１ｃは、柱省略建物ユニット１ａを左右対称とした構成である。
【００４９】
また、これらの柱省略建物ユニット１ａ，１ｂ，１ｃ，１ｄは、輸送時や据え付け時には、その強度を確保するために、図７に示したように、柱省略コーナー部Ｓの梁・梁接合部に、仮柱３が仮接合されている。
【００５０】
ここで、仮柱３には、図８に示したように、断面略Ｌ字形の長尺の主軸部３１の上端部、中間部、及び下端部の側縁に、断面略Ｌ字形の短尺の補強部３２Ａ，３２Ｂ，３２Ｃの側縁がそれぞれ溶接により接合され、さらに主軸部３１及び補強部３２Ａの上縁に、矩形板状の水平板部３３が溶接により接合されたものが用いられている。
【００５１】
なお、水平板部３３の略中央には、柱１０と同様に、吊り金具取付け用のネジ孔３３ａが設けられ、このネジ孔３３ａは、水平板部３３の裏面に固定したナット３４により延設されており（図９及び図１０を参照）、これらの柱省略建物ユニット１ａ，１ｂ，１ｃ，１ｄは、クレーンによる吊上げが可能とされている。
【００５２】
具体的には、仮柱３は、図９及び図１０に示したように、主軸部３１の上端部に設けられた４つの締結孔としてのボルト孔５と、柱省略コーナー部Ｓの上側の梁・梁接合部を形成する柱省略用治具２Ａの中央アングル部２１の４つの締結孔としてのボルト孔２１ａとに、中央アングル部２１の外角側から締結部材としてのボルト４がそれぞれねじ込み挿入されている。
【００５３】
また、仮柱３は、主軸部３１の下端部に設けられた４つの締結孔としてのボルト孔５と、柱省略コーナー部Ｓの下側の梁・梁接合部を形成する柱省略用治具２Ｂの中央アングル部２１の４つの締結孔としてのボルト孔２１ａとに、中央アングル部２１の外角側から締結部材としてのボルト４がそれぞれねじ込み挿入されている。
【００５４】
こうして、仮柱３が、柱省略コーナー部Ｓの上下の梁・梁接合部に仮接合されている。
【００５５】
なお、仮柱３は、柱省略建物ユニット１ａ，１ｂ，１ｃ，１ｄの現場での据え付けが終わると、ボルト４，・・・が取り外されて、撤去され、品質が劣化しない限りは使い回しされる。
【００５６】
また、仮柱３の下端部と、柱省略用治具２Ｂの支持プレート２３との間は、図１０に示したように、仮柱３を撤去し易くするため、遊びとして若干の隙間が設けられている。
【００５７】
こうして図示省略の基礎上に離し置きして配置された柱省略建物ユニット１ａ，１ｂ，１ｃ，１ｄの外側端部間は、図１に示したように、連結部材６により、それぞれ連結されている。
【００５８】
さらに、それぞれの柱省略コーナー部Ｓを向かい合うようにして、離し置きして配置された柱省略建物ユニット１ａ，１ｂの天井梁１１Ａ，１１Ａ間と、柱省略建物ユニット１ｃ，１ｄの天井梁１１Ａ，１１Ａ間とには、図１及び図１１に示したように、補強部材としてのスプライスプレート８がそれぞれ架け渡され設けられている。
【００５９】
ここで、スプライスプレート８は、図１２に示したように、断面二次モーメントを大きくするために、水平部分と垂下部分とから成る断面略Ｌ字形の長尺部材であり、その水平部分が天井梁１１Ａ，１１Ａの上側フランジ間に架け渡されているとともに、図示省略の２階部分の通常の建物ユニットの床梁１３の下側フランジとの間に挟持されて、端部近傍をボルト８１とナット８２とで固定されている。
【００６０】
また、スプライスプレート８の垂下部分は、図１２に示したように、天井梁１１Ａ，１１Ａのウェブ間に架け渡されている。
【００６１】
さらに、柱省略建物ユニット１ａ，１ｂの天井梁１１Ａ，１１Ａのウェブ間と、柱省略建物ユニット１ｃ，１ｄの天井梁１１Ａ，１１Ａのウェブ間とには、図１及び図１１に示したように、補強部材としての溝形鋼の補強梁７がそれぞれ溶接により架け渡されているとともに、天井梁１１Ａ，１１Ａのウェブとスプライスプレート８を挟持するように設けられている。
【００６２】
また、柱省略コーナー部Ｓ近傍において、柱省略建物ユニット１ａ，１ｃの天井梁１１Ａ，１１Ａのウェブ間と、柱省略建物ユニット１ｂ，１ｄの天井梁１１Ａ，１１Ａのウェブ間とには、図１、図１１及び図１２に示したように、補強部材としての略台形状の水平補強プレート９がボルト９１，・・・により、それぞれ架け渡され設けられている。
【００６３】
次に、実施例１の作用効果について説明する。
【００６４】
このような実施例１の柱省略仕口構造は、１本の柱を省略した柱省略建物ユニット１ａ，１ｂ，１ｃ，１ｄの柱省略コーナー部Ｓの上下の梁・梁接合部を形成する柱省略仕口構造である。
【００６５】
そして、断面略Ｌ字形の中央アングル部２１と、中央アングル部２１の両端部から外角側へ略直角に延設された延設プレート部２２，２２とから成り、全体で断面略Ｗ字形である上側の接合部材２Ａにより、延設プレート部２２，２２で、梁としての天井梁１１Ａ，１１Ｂの側面のウェブがそれぞれ接合されているとともに、断面略Ｌ字形の中央アングル部２１と、中央アングル部２１の両端部から外角側へ略直角に延設された延設プレート部２２，２２とから成り、全体で断面略Ｗ字形である下側の接合部材２Ｂにより、延設プレート部２２，２２で、梁としての床梁１２Ａ，１２Ｂの側面のウェブがそれぞれ接合されている。
【００６６】
そのうえで、上下の接合部材２Ａ，２Ｂの中央アングル部２１，２１の内角側に、仮柱３の上端部及び下端部の外側面が仮接合される構成とされている。
【００６７】
こうした構成なので、柱省略建物ユニット１ａ，１ｂ，１ｃ，１ｄの柱省略コーナー部Ｓの上下の梁・梁接合部が簡易な構造となり、低コストで実施することができる。
【００６８】
ここで、上下の接合部材２Ａ，２Ｂの中央アングル部２１には、仮柱３を締結部材としてのボルト４，・・・で仮接合するための締結孔としてのボルト孔２１ａ，・・・が設けられている。
【００６９】
このため、締結部材としてのボルト４，・・・を取り付けたり、取り外したりするだけで、仮柱３の仮接合と取り外しを容易に行うことができる。
【００７０】
また、下側の接合部材２Ｂには、中央アングル部２１の内角側に突出した基礎に立設したアンカー棒を挿入するための挿入孔２３ａを有する支持プレート２３が設けられている。
【００７１】
このため、１階部分に柱省略建物ユニット１ａ，１ｂ，１ｃ，１ｄを配置する際に、支持プレート２３の挿入孔２３ａへアンカー棒を挿入することにより、柱省略建物ユニット１ａ，１ｂ，１ｃ，１ｄを、基礎にしっかりと据え付け固定することができる。
【００７２】
実施例１の柱省略建物ユニット１ａ，１ｂ，１ｃ，１ｄは、上記した柱省略仕口構造を備えた構成とされている。
【００７３】
このため、上記した柱省略仕口構造の作用効果を享受した柱省略建物ユニットを製造することができる。
【００７４】
実施例１のユニット建物Ｕ１は、上記した柱省略建物ユニット１ａ，１ｂ，１ｃ，１ｄが、それぞれの柱省略コーナー部Ｓを向かい合うようにして、離し置きされ、４個配置された構成とされている。
【００７５】
このため、柱省略建物ユニット１ａ，１ｂ，１ｃ，１ｄの内部に、これらの床面積を合わせたよりも大きな大空間を形成することができるのは勿論、柱省略コーナー部Ｓの接合部材２Ａ，２Ｂにより形成された空間を、配線や配管などのスペースに利用することができる。
【００７６】
ここで、柱省略建物ユニット１ａ，１ｂ，１ｃ，１ｄの柱省略コーナー部Ｓ，・・・間を架け渡す補強部材としての補強梁７及びスプライスプレート８が設けられている。
【００７７】
そのうえ、柱省略建物ユニット１ａ，１ｂ，１ｃ，１ｄの柱省略コーナー部Ｓ，・・・近傍間を架け渡す補強部材としての水平補強プレート９が設けられている。
【００７８】
このため、これらの補強部材により、柱省略建物ユニット１ａ，１ｂ，１ｃ，１ｄ間の応力が伝達されるため、ユニット建物Ｕ１の必要な強度を確保することができる。
【００７９】
特に、補強部材としての溝形鋼の補強梁７と断面略Ｌ字形のスプライスプレート８とが、これらの大きな断面二次モーメントにより、柱省略建物ユニット１ａ，１ｂ間及び柱省略建物ユニット１ｃ，１ｄ間の応力が十分に伝達されるため、ユニット建物Ｕ１の必要な強度を確保することに貢献している。
【００８０】
そのうえ、これらの補強部材としての補強梁７、スプライスプレート８及び水平補強プレート９は納まりがよい。
【００８１】
すなわち、スプライスプレート８の水平部分は薄い平板状であるため、１階部分の柱省略建物ユニット１ａ，１ｂ，１ｃ，１ｄの天井梁１１Ａの上側フランジと、図示省略の２階部分の建物ユニットの床梁の下側フランジとの間に難なく納まる。
【００８２】
また、補強梁７及び水平補強プレート９も、離し置きされた柱省略建物ユニット１ａ，１ｂ，１ｃ，１ｄの天井梁１１Ａ，１１Ａのウェブ間に設けられるため、難なく納まる。
【実施例２】
【００８３】
次に、実施例２について説明する。
【００８４】
なお、上記実施例１で説明した内容と同一乃至均等な部分の説明については同一符号を付して説明する。
【００８５】
図１３は、実施例２の柱省略建物ユニット１ａ，１ｂ，１ｃ，１ｄを備えたユニット建物Ｕ２の１階部分の概略構成を平面視で示している。
【００８６】
まず、このユニット建物Ｕ２の一階部分は、図示省略の基礎上に、４個の柱省略建物ユニット１ａ，１ｂ，１ｃ，１ｄが、それぞれの柱省略コーナー部Ｓを向かい合うようにして、施工誤差を吸収する程度の若干の隙間が設けられ、配置されている。
【００８７】
そのうえで、柱省略建物ユニット１ａ，１ｂの天井梁１１Ａ，１１Ａ間と、柱省略建物ユニット１ｃ，１ｄの天井梁１１Ａ，１１Ａ間とには、図１３及び図１４に示したように、補強部材としてのスプライスプレート８がそれぞれ架け渡され設けられている。
【００８８】
ここで、スプライスプレート８は、図１５に示したように、断面二次モーメントを大きくするために、水平部分と垂下部分とから成る断面略Ｌ字形の長尺部材であり、その水平部分が天井梁１１Ａ，１１Ａの上側フランジ間に架け渡されているとともに、図示省略の２階部分の通常の建物ユニットの床梁１３の下側フランジとの間に挟持されて、端部近傍をボルト８１とナット８２とで固定されている。
【００８９】
また、スプライスプレート８の垂下部分は、図１５に示したように、天井梁１１Ａ，１１Ａのウェブ間に架け渡されている。
【００９０】
さらに、柱省略建物ユニット１ａ，１ｃの天井梁１１Ａ，１１Ａのウェブ間と、柱省略建物ユニット１ｂ，１ｄの天井梁１１Ａ，１１Ａのウェブ間とには、図１３、図１４及び図１５に示したように、補強部材としての長尺の略平板状の鉛直補強プレート１４が挟持され、架け渡されている。
【００９１】
そして、鉛直補強プレート１４の両端部は、図１５に示したように、天井梁１１Ａ，１１Ａのウェブに、ボルト８３及びナット８４によりそれぞれ固定されている。
【００９２】
すなわち、柱省略建物ユニット１ａ，１ｂ，１ｃ，１ｄは、離し置きされておらず、補強部材として、断面略Ｌ字形のスプライスプレート８及び略平板状の鉛直補強プレート１４を用いているだけであるため、より簡易且つ安価に、ユニット建物Ｕ２の必要な強度を確保することができるのが、上記実施例１と主に異なる。
【００９３】
なお、他の構成及び作用効果については、上記実施例１と略同様であるので説明を省略する。
【００９４】
以上、図面を参照して、本発明を実施するための形態について実施例１，２をもとに詳述してきたが、具体的な構成は、上記した実施例１，２に限らず、本発明の要旨を逸脱しない程度の設計的変更は、本発明に含まれる。
【００９５】
例えば、上記実施例１，２では、上下の接合部材２Ａ，２Ｂを用いて実施したが、これに限定されず、上下いずれか一方の接合部材のみを用いて実施してもよい。
【００９６】
また、上記実施例２では、補強部材として、断面略Ｌ字形のスプライスプレート８及び略平板状の鉛直補強プレート１４を用いて実施したが、これに限定されず、一方のみを用いて実施してもよい。
【符号の説明】
【００９７】
Ｕ１      ユニット建物
Ｕ２      ユニット建物
１ａ      柱省略建物ユニット
１ｂ      柱省略建物ユニット
１ｃ      柱省略建物ユニット
１ｄ      柱省略建物ユニット
１１Ａ    天井梁（梁）
１１Ｂ    天井梁（梁）
１２Ａ    床梁（梁）
１２Ｂ    床梁（梁）
Ｓ        柱省略コーナー部
２Ａ      接合部材
２Ｂ      接合部材
２１      中央アングル部
２１ａ    ボルト孔（締結孔）
２２      延設プレート部
２３      支持プレート
３        仮柱
４        ボルト（締結部材）
７        補強梁（補強部材）
８        スプライスプレート（補強部材）
９        水平補強プレート（補強部材）
１４      鉛直補強プレート（補強部材）
【図１】
2011052436.tif 000003
【図２】
2011052436.tif 000004
【図３】
2011052436.tif 000005
【図４】
2011052436.tif 000006
【図５】
2011052436.tif 000007
【図６】
2011052436.tif 000008
【図７】
2011052436.tif 000009
【図８】
2011052436.tif 000010
【図９】
2011052436.tif 000011
【図１０】
2011052436.tif 000012
【図１１】
2011052436.tif 000013
【図１２】
2011052436.tif 000014
【図１３】
2011052436.tif 000015
【図１４】
2011052436.tif 000016
【図１５】
2011052436.tif 000017